【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
ろ過製品を製造する方法であって、
第１面、第２面、および少なくとも一つの側端面を有するろ過媒体を用意するステップと、
長手方向に延びる側壁部および端縁部を含む不定長さのストリップフレーム材料の供給源を用意するステップと、
ある長さの前記ストリップフレーム材料を、前記ろ過媒体の前記側端面の少なくとも一部に沿って組み合わせるステップと、
前記ろ過媒体と組み合わされた前記ストリップフレーム材料の前記端縁部を第１方向から第２方向まで曲げるステップであって、前記端縁部は、概ね前記ストリップフレーム材料の前記側壁部の横方向に延び、前記端縁部は、その前記第１方向におけるよりも前記ろ過媒体の方へ延びる、ステップと、
前記ストリップフレーム材料の前記端縁部を、前記第２方向で固定するステップと、
前記ストリップフレーム材料を、前記ろ過媒体と組み合わされたときに前記ストリップフレーム材料の不定長さの供給源から切断するステップと、を含む方法。
【請求項２】
ろ過製品を製造する方法であって、
流体入口面、流体出口面、および少なくとも一つの側端面を有するろ過媒体を用意するステップと、
供給形態のストリップ材料を用意し、かつ少なくとも一つの側壁部および端縁部に長手方向に分割された不定長さのストリップフレーム材料を作製するための前記ストリップ材料の長手方向に延びる少なくとも一つの折目を形成するステップと、
ある長さの前記ストリップフレーム材料を、前記ろ過媒体の前記側端面の少なくとも一部に沿って組み合わせるステップと、
前記ろ過媒体と組み合わされた前記ストリップフレーム材料の前記端縁部を第１方向から第２方向まで曲げるステップであって、前記端縁部は、概ね前記ストリップフレーム材料の前記側壁部の横方向に延び、前記端縁部は、その前記第１方向におけるよりもろ過媒体の方へ延びる、ステップと、を含む方法。
【請求項３】
ろ過媒体の端面に沿って、前記ろ過媒体の少なくとも一部を囲むフレームを有するろ過製品を製造する際に、流体入口面および流体出口面と組み合わせるためのストリップフレーム材料であって、該ストリップフレーム材料は、長手方向に延びる側壁部および長手方向に延びる第１一体蝶番によって前記側壁部から分割された第１端縁部を含み、前記第１一体蝶番により、前記第１端縁部は第１方向から第２方向まで折り畳むことができ、前記第１端縁部は、概ね前記ストリップフレーム材料の前記側壁部の横方向に延び、前記第１端縁部は、前記側壁部からほぼ垂直に延びる、ストリップフレーム材料。
【請求項４】
長手方向に延びる第２一体蝶番によって前記側壁部から分割された第２端縁部をさらに含み、前記第２一体蝶番により前記第２端縁部は第１方向から第２方向まで折り畳むことができ、前記第２端縁部は、概ね前記ストリップフレーム材料の前記側壁部の横方向に延び、前記第２端縁部は前記側壁部からほぼ垂直に延びる、請求項３に記載のストリップフレーム材料。
【請求項５】
前記第１および第２一体蝶番の各々は、前記ストリップフレーム材料の一方の面に沿って延びる長手方向の溝を含み、前記溝は、前記第１および第２端縁部がそれぞれの第２方向に向かうにつれて閉じていく、請求項４に記載のストリップフレーム材料。
【手続補正２】
【補正対象書類名】明細書
【補正対象項目名】０００９
【補正方法】変更
【補正の内容】
【０００９】
本発明の一態様では、そのような利点は、第１面、第２面、および少なくとも一つの側端面を有するろ過媒体を用意するステップと、長手方向に延びる側壁部および端縁部を含む不定長さのストリップフレーム材料の供給源を用意するステップと、ある長さのストリップフレーム材料を、ろ過媒体の側端面の少なくとも一部に沿って組み合わせるステップと、ろ過媒体と組み合わされたストリップフレーム材料の端縁部を第１方向から第２方向まで曲げるステップであって、端縁部は、概ねストリップフレーム材料の側壁部の横方向に延び、端縁部は、その第１方向におけるよりもろ過媒体の方へ延びる、ステップと、ストリップフレーム材料の端縁部を、その第２方向で固定するステップと、ストリップフレーム材料を、ろ過媒体と組み合わされたときにストリップフレーム材料の不定長さの供給源から切断するステップと、を含む、ろ過製品を製造する方法によって達成される。
【手続補正３】
【補正対象書類名】明細書
【補正対象項目名】００１０
【補正方法】変更
【補正の内容】
【００１０】
ストリップフレーム材料は、ろ過媒体を機械方向に移動している間に、ろ過媒体と組み合わされてもよい。好ましくは、曲げるステップは、ろ過媒体および組み合わされたストリップフレーム材料が、機械方向へ共に移動されている間に行われる。ろ過媒体によっては、該ろ過媒体は、ろ過媒体の不定長さの供給源から供給されてもよく、その場合、それをストリップフレーム材料と共に切断することもできる。好ましくは、端縁部は、ストリップフレーム材料の側壁部にほぼ垂直に位置決めされるように変向される。
【手続補正４】
【補正対象書類名】明細書
【補正対象項目名】００１１
【補正方法】変更
【補正の内容】
【００１１】
好ましい方法によれば、ストリップフレーム材料には、側壁部を端縁部から分割するストリップフレーム材料の長手方向に延びる一体蝶番が、端縁部が一体蝶番に沿って変向されることができるように、不定長さとして供給される。そのような一体蝶番は、任意の公知のまたは発展した方法で作製することができる。二つの変向可能な端縁部を、曲げるステップが、両側端部を第１方向からろ過媒体の方へ側壁部に対して曲げるステップを含むこともできるように設けることができる。
【手続補正５】
【補正対象書類名】明細書
【補正対象項目名】００１２
【補正方法】変更
【補正の内容】
【００１２】
また好ましい方法によれば、不定長さのストリップフレーム材料を提供するステップは、その側壁部の表面の少なくとも一部分に接着剤の層を有するストリップフレーム材料を供給するステップを含み、かつ組み合わせるステップは、ろ過媒体の端縁に沿って、ストリップフレーム材料の側壁部上に接着剤を付着するステップをさらに含む。好ましくは、端縁部は、第２方向で接着剤によって固定される。
【手続補正６】
【補正対象書類名】明細書
【補正対象項目名】００１４
【補正方法】変更
【補正の内容】
【００１４】
本発明の他の態様に従って、ろ過製品を製造する方法は、流体入口面、流体出口面、および少なくとも一つの側端面を有するろ過媒体を用意するステップと、供給形態のストリップ材料を用意し、かつ不定長さのストリップフレーム材料を作製するためのストリップ材料の長手方向に延びる少なくとも一つの折目を形成するステップであって、該ストリップフレーム材料は、少なくとも一つの側壁部および端縁部に長手方向に分割された、ステップと、ある長さのストリップフレーム材料を、ろ過媒体の側端面の少なくとも一部に沿って組み合わせるステップと、ろ過媒体と組み合わされたストリップフレーム材料の端縁部を第１方向から第２方向まで曲げるステップであって、端縁部は、概ねストリップフレーム材料の側壁部の横方向に延び、端縁部は、その第１方向におけるより長くろ過媒体の方へ延びる、ステップとを含んでもよい。
【手続補正７】
【補正対象書類名】明細書
【補正対象項目名】００１６
【補正方法】変更
【補正の内容】
【００１６】
本発明のさらに他の態様によれば、ストリップフレーム材料は、ろ過製品を製造する際に、ろ過媒体の端面に沿って組み合わせるために設けられる。ストリップフレーム材料は、長手方向に延びる側壁部および長手方向に延びる第１一体蝶番によって側壁部から分割された第１端縁部を含み、第１一体蝶番により第１端縁部を第１方向から第２方向まで折り畳むことができ、第１端縁部は、概ねストリップフレーム材料の側壁部の横方向に延び、第１端縁部は側壁部からほぼ垂直に延びる。好ましくは、第２端縁部はまた、長手方向に延びる第２一体蝶番によって側壁部から分割され、第２一体蝶番により第２端縁部を第１方向から第２方向まで折り畳むことができ、第２端縁部は、概ねストリップフレーム材料の側壁部の横方向に延び、第２端縁部は側壁部からほぼ垂直に延びる。フレームが作られた後、ストリップフレーム材料から延びて有効なシールを作製する一つ以上のシール要素がまた設けられてもよい。好ましくは、そのようなシール要素は、それに対してある角度で延びるように、ストリップフレーム材料の側壁部に沿って設けられる。また、そのようなシール要素は、弾性材料から構成され、その結果該シール要素を、ストリップフレーム材料の圧延を容易にするために、側壁部に対して折り畳むことができる。
【手続補正８】
【補正対象書類名】明細書
【補正対象項目名】００２３
【補正方法】変更
【補正の内容】
【００２３】
フレーム材料１２のストリップを、プリーツ付ろ過媒体１４の端縁に沿って有効に組み合わせるために、接着剤を、プリーツ付ろ過媒体１４の端縁２８および３２と接触させる前に、噴霧、直接塗布、またはトランスファコーティング等によって、フレーム材料１２における各ストリップの内面のいくつかまたは全てに塗布してもよい。一実施形態では、プリーツ付ろ過媒体１４の端縁２８および３２と接触する直前に、ストリップフレーム材料１２の内面に接着剤を噴霧するために、動作可能に位置決めされかつ支持される接着剤噴霧ノズル３４を図示している。好ましくは、ろ過媒体端縁２８および３２への圧力下で、フレーム材料１２のストリップを塗布するためのプレッシャローラ３６もまた設けられる。プレッシャローラ３６は、公知のように所望の接触圧をかけるために、従来通り支持されてもよい。そのような接着剤を、フレーム材料１２における各ストリップの内面のほぼ全体に塗布することによって、ろ過媒体の端縁２８および３２をフレーム材料１２に有効に封止することができる。しかも、接着剤を、一つ以上の端縁部２６を曲がった方向で保持するために利用することができる。このことは、プリーツ付ろ過媒体１４の頂部または底部端面に付着する曲げ端縁部２６によってかつ／またはいったん接着剤が硬化すると曲げ端縁部２６を適所に保持する接着剤自体によって行うことができる。
【手続補正９】
【補正対象書類名】明細書
【補正対象項目名】００２５
【補正方法】変更
【補正の内容】
【００２５】
他の手段が、フレーム材料ストリップ１２をプリーツ加工されたろ過材料１４の側端縁２８および３２に効果的と組み合わせるための接着剤に加えて用いられてもよいということも意図されている。使用される材料、および必要とされる特徴の類似点によっては、溶接技術を利用してもよい。例えば、超音波溶接または任意の他の熱溶接工程を用いてもよく、類似の高分子材料は、プリーツ付ろ過媒体１４およびフレーム材料ストリップ１２のために利用される。それらの材料を用いて、フレーム材料ストリップ１２をプリーツ付ろ過媒体１４に溶接することができなくても、そのような溶接または接着工程を、どのような他の技術がプリーツ付ろ過媒体１４をフレーム材料ストリップ１２と組み合わせるために利用されるにもかかわらず、曲がった端縁部２６を適所に係止するために利用することができる。機械的クリップおよびファスナー等の他の保持手段はまた、得られるべきフィルターの品質およびその特定の応用によっては、単独でまたは上述の技術のいずれかと組み合わせて用いられてもよく、その保持手段は、フレーム材料ストリップ１２をプリーツ付ろ過媒体１４に接続するための技術のいずれかまたは両方のためにかつ／または曲げ端縁部２６を適所に係止するために利用してもよい。
【手続補正１０】
【補正対象書類名】明細書
【補正対象項目名】００２８
【補正方法】変更
【補正の内容】
【００２８】
この点で、システム１０の第１部分１６が完了し、かつ第２部分１８が始まる。すなわち、ろ過媒体の側端縁４４および４６はまた、ストリップフレーム材料１２と組み合わされるのが好ましい。システム部１８は、好ましくは、システム部１６にほぼ類似である。一連の部分的フィルター製品４２で初まって、ストリップフレーム材料１２の付加的なロール２４は、動作可能に位置決めされ、かつ部分的フィルター製品４２の搬送方向に沿って支持される。搬送態様は、任意の従来のまたは発展した技術であってもよく、それによって部分的フィルター製品４２は、互いに間隔があけられまたは互いに接触して、次々と搬送されてもよい。図１に示されるように、搬送方向は、矢印Ｂに示され、その方向は、機械方向Ａにほぼ垂直である。これにより、部分的フィルター製品４２を変向させる必要なく、付加的なフレーム材料ストリップ１２とさらと組み合わせることができる。搬送方向Ｂは、システム部１８のインライン方向を画定する。しかしながら、その代わりに、システム部１８のインライン方向は、部分的フィルター製品４２が、フレーム材料ストリップ１２をろ過媒体の側端縁４４および４６に塗布するのに必要なものとして変向される場合に限り、システム部１６の機械方向Ａと同じ方向を含む任意の方向でありうる。部分的フィルター製品４２が、他の異なる形状である一方、付加的なストリップフレーム材料１２が塗布されるべき表面を考慮すると、同じ原理があてはまる。
【手続補正１１】
【補正対象書類名】明細書
【補正対象項目名】００３１
【補正方法】変更
【補正の内容】
【００３１】
連続ストリップフレーム材料１２は、ろ過媒体を変向させる必要なく、成形されたろ過媒体の二つ以上の端面に順次塗布されてもよいということも意図されている。例えば、連続ストリップフレーム材料１２として十分可撓性の材料を利用することによって、連続ストリップフレーム材料１２は、順次一つ以上の角部に巻き付けられうる。他の例として、図１２に示されるように、連続ストリップフレーム材料１２には、所望の角部位置で、間隔の開けられた切欠き９０が設けられ、ろ過媒体の角部の周りで折り畳むことを容易にする。そのような切欠き９０は、ストリップフレーム材料１２の一つまたは両方の縦端縁に沿って設けられてもよい。好ましくは、角部についての一致された切欠き９０はまた、折畳強化ライン９２によって接続され、その折畳強化ライン９２は、任意の種類の一体蝶番または公知のまたは発展した弱化ラインを含んで、そのようなラインに沿った折り畳みを容易にしてもよい。任意の切断、切欠き、筋付け等は、不定長さの連続ストリップ材料１２上で、インラインフィルターフレーム工程の一部としてまたはそれより前のいつでも、あるいはその製造中に供給されるように行われてもよい。しかも、機構は、接着テープ等の材料が、対象の角部の周りに当てられるように開発されてきた。例えば、箱をテープで封止するために、一つ以上の箱の角部上にロールから供給されるようにテープを当てかつ切断するための多くの異なるテープヘッドが開発されてきた。テープが一つまたは二つの箱の角部上に当てられるかどうかによって、テープのＣクリップまたはテープのＬクリップを当てるためのそのような装置が公知である。類似の機構を、露出されるなら、角部を間にして、連続ストリップフレーム材料を一つ以上のろ材の端面上に当てるために用いることができるだろう。湾曲端面は、同様に、ストリップフレーム材料と組み合わされてもよい。
【手続補正１２】
【補正対象書類名】明細書
【補正対象項目名】００４１
【補正方法】変更
【補正の内容】
【００４１】
例えば、図６に示されるように、より薄いろ過媒体１１４は、プリーツ付ろ過媒体を含んでもよいが、それは部分的にストリップフレーム材料１２の側壁部６２に沿ってのみ延びる。ろ過媒体１１４は、その頂部端面が、接着剤層７５によって、ストリップフレーム材料１２の上方端縁部２６に対して位置決めされかつそれに付着されるようにして図示されている。ろ過媒体１１４の底部端面は、ストリップフレーム材料１２の下方端縁部６６から間隔があけられている。しかしながら、接着剤層７５は、それによって下方端縁部６６が適所で曲げられた後、側壁部６２に対しある方向で固定される手段をまだ提供している。曲げ技術は、依然として同じである。この図示した構成では、ろ過媒体１１４は、ろ過媒体１１５の第２層と組み合わされ、そのろ過媒体１１５は、類似のまたは異なる媒体を備えてもよく、かつ位置決めされるにつれて、プレフィルターとして機能することができる。そのような積み重ね構成は、図６に示される構成においてであろうと、または例えば図２、図３および図４に示されるような構成にしようと、またはその他であろうと、三層以上の層の異なるまたは同じろ過材料を含んでもよく、それらの層は、所望の応用によっては互いに隣接してまたは互いに間隔があけられて位置決めされてもよい。それらの層のいくつかまたは全ては、側壁部６６および／または端縁部２６および６６のいずれかによって密封して支持されてもよい。
【手続補正１３】
【補正対象書類名】明細書
【補正対象項目名】００５０
【補正方法】変更
【補正の内容】
【００５０】
【図１】ストリップフレーム材料とろ過媒体の連続的な組み合わせをインライン工程として達成するシステムおよび方法の概略図である。
【図２】フレーム材料が、ほぼ平らな方向に延びかつ端縁折畳装置の端縁折畳カム面に対して位置決めされるようにして、ろ過媒体の端縁部に対して付着されたフレーム材料を示す、図１の線２−２に沿った断面図である。
【図３】フレーム材料の端縁部分が、端縁折畳装置の端縁折畳カム面によってろ過媒体の方へ部分的に曲げられるようにして、ろ過媒体の端縁に対して付着されたフレーム材料を示す、図１の線３−３に沿った断面図である。
【図４】フレーム材料の端縁部が、端縁折畳装置の端縁折畳カム面によってろ過媒体の頂部および底部に対して十分曲げられるようにして、ろ過媒体の端縁部に対して付着されたフレーム材料を示す、図１の線４−４に沿った断面図である。
【図５】フレーム材料の頂部角部およびろ過媒体の拡大断面図であって、フレーム材料によって内部角部に形成された接着ビードを示す図である。
【図６】図４に類似であるが、フレーム材料と組み合わされたより薄いろ過媒体を示す断面図である。
【図７】フレーム材料のロールの層として設けられるような、ほぼ平らな状態のそのようなフレーム材料を介する断面図である。
【図８】縦筋がフレーム材料の機械方向に設けられて、折目を画定し、その折目によってフレーム材料が折り畳まれて実質的に剛性のフレーム構成になりうるようにした、フレーム材料の一部の端面図である。
【図９】図８と類似であるが、溝構造を含むその図８の構成からさらに折り畳まれたフレーム材料を示す端面図である。
【図１０】図８および９に類似の端面図であって、付加的材料層が、その剛性を増すために溝構造の背面に対して設けられるようにしてさらに折り畳まれたフレーム材料を示す図である。
【図１１】図８〜図１０に類似の端面図であって、積層および周囲のシールを含む剛性の溝構造を提供するように完全に折り畳まれたフレーム材料を示す図である。
【図１２】成形されたろ過媒体の角部の周りでのフレーム材料の折り畳みを強化するための特性を有する、本発明に従うフレーム材料の側面図である。